(57)【要約】【課題】帯域を効率的に利用できるようにした無線通信装置、及び帯域要求方法を提供すること。【解決手段】他の無線通信装置にデータを送信するための総帯域を要求し、当該要求した総帯域に対して前記他の無線通信装置において割り当てられた帯域を利用して前記データを送信する無線通信装置であって、前記要求した総帯域に対して前記他の無線通信装置から割り当てられていない帯域の帯域量が、前記総帯域の要求後前記他の無線通信装置から前記帯域の割り当てを受けるまでの第１の期間において送信可能な最大データ量に相当する帯域量以下となるとき、前記要求した総帯域に対して追加の帯域を要求する帯域要求部を備える。【選択図】図３
2014075703.tif 000002
【特許請求の範囲】
【請求項１】
他の無線通信装置にデータを送信するための総帯域を要求し、当該要求した総帯域に対して前記他の無線通信装置において割り当てられた帯域を利用して前記データを送信する無線通信装置であって、
前記要求した総帯域に対して前記他の無線通信装置から割り当てられていない帯域の帯域量が、前記総帯域の要求後前記他の無線通信装置から前記帯域の割り当てを受けるまでの第１の期間において送信可能な最大データ量に相当する帯域量以下となるとき、前記要求した総帯域に対して追加の帯域を要求する帯域要求部
を備えることを特徴とする無線通信装置。
【請求項２】
更に、前記総帯域を要求したときの帯域要求量と、前記要求した総帯域に対して前記他の無線通信装置から割り当てを受けた割当帯域量とに基づいて、前記他の無線通信装置から割り当てられていない帯域の帯域量を算出し、当該算出した帯域量を前記要求帯域部に出力する帯域未割当量算出部を備えることを特徴とする請求項１記載の無線通信装置。
【請求項３】
更に、前記総帯域を要求後、前記他の無線通信装置から前記帯域の割り当てを受けるまでの差分時間を測定し、当該測定した差分時間を複数回測定した平均時間を前記第１の期間として前記帯域要求部に出力する帯域要求・割当遅延時間測定部を備えることを特徴とする請求項１記載の無線通信装置。
【請求項４】
更に、前記無線通信装置と前記他の無線通信装置との間の無線区間における無線品質と前記他の無線通信装置において割り当てられた無線帯域の構成情報とに基づいて、１単位時間あたりに割り当て可能な最大帯域割当量を算出し、当該算出した最大帯域割当量を前記要求帯域部に出力する最大帯域割当量算出部を備え、
前記帯域要求部は、前記最大帯域割当量と前記第１の期間とに基づいて、前記送信可能な最大データ量に相当する帯域量を算出することを特徴とする請求項１記載の無線通信装置。
【請求項５】
前記帯域要求部は、前記総帯域の要求後前記帯域の割り当てを受けていない連続した第２の期間が、前記第１の期間を超えるとき、再度、前記他の無線通信装置に対して帯域を要求することを特徴とする請求項１記載の無線通信装置。
【請求項６】
他の無線通信装置にデータを送信するための総帯域を要求し、当該要求した総帯域に対して前記他の無線通信装置において割り当てられた帯域を利用して前記データを送信する無線通信装置における帯域要求方法であって、
前記要求した総帯域に対して前記他の無線通信装置から割り当てられていない帯域の帯域量が、前記総帯域の要求後前記他の無線通信装置から前記帯域の割り当てを受けるまでの第１の期間において送信可能な最大データ量に相当する帯域量以下となるとき、帯域要求部によって、前記要求した帯域に対して追加の帯域を要求する
ことを特徴とする帯域要求方法。
【請求項７】
データを送信するための総帯域を要求する帯域要求を受け、前記帯域要求に基づいて、帯域の割り当てを行う第１無線通信装置と、
前記第１無線通信装置に前記帯域要求を送信し、前記帯域要求に対して前記第１無線通信装置において割り当てられた帯域を利用して前記データを送信する第２無線通信装置を含む無線通信システムであって、
前記第２無線通信装置は、前記帯域要求に対して前記第１無線通信装置から割り当てられていない帯域の帯域量が、前記帯域要求後前記第１無線通信装置から前記帯域の割り当てを受けるまでの第１の期間において送信可能な最大データ量に相当する帯域量以下となるとき、前記第１無線通信装置に、前記総帯域に対して追加の帯域を要求する
ことを特徴とする無線通信システム。
【請求項８】
第１無線通信装置と第２無線通信装置を含む無線通信システムの制御方法であって、
データを送信するための総帯域を要求する帯域要求を、前記第２無線通信装置によって、前記第１無線通信装置に送信し、
前記送信された帯域要求に基づいて、前記第１無線通信装置によって、帯域を割り当て、
前記割り当てられた帯域を利用して前記データを、前記第２無線通信装置によって、前記第１無線通信装置に送信し、
前記帯域要求に対して前記第１無線通信装置によって割り当てられていない帯域の帯域量が、前記帯域要求後前記第１無線通信装置によって前記帯域の割り当てを受けるまでの第１の期間において送信可能な最大データ量に相当する帯域量以下となるとき、前記第１無線通信装置に、前記第２無線通信装置によって、前記総帯域に対して追加の帯域の要求を送信する
ことを特徴とする制御方法。
【発明の詳細な説明】
【技術分野】
【０００１】
本発明は、無線通信装置、帯域要求方法、無線通信システム、及び無線通信システムの制御方法に関する。
【背景技術】
【０００２】
現在、携帯電話システムや無線ＭＡＮ（Metropolitan Area Network）などの無線通信システムが広く利用されている。また、無線通信の分野では、通信速度や通信容量を更に向上させるべく、次世代の通信技術について継続的な議論が行われている。
【０００３】
例えば、米国の電気・電子技術学会であるＩＥＥＥ（The Institute of Electrical and Electronics Engineers, Inc）においては、ＷｉＭＡＸ（Worldwide interoperability for Microwave Access）と呼ばれる通信規格の標準化が完了している。さらに、標準化団体である３ＧＰＰ（3rd Generation Partnership Project）では、ＬＴＥ（Long Term Evolution）やＬＴＥ−Ａ（LTE-Advance）などの通信規格の標準化が完了若しくは検討されている。
【０００４】
このような無線通信の技術に関して、例えば、帯域要求に関する技術がある。帯域要求に関しては、例えば、以下のような処理が行われる。
【０００５】
すなわち、端末は帯域要求メッセージなどを基地局に送信し、帯域の割り当てを要求する。基地局は端末からの帯域要求に対してスケジューリングを行い、端末に対して帯域を割り当てる。基地局は、帯域の割り当てに関する割当情報を端末に通知する。そして、端末は、割当て情報に基づいて、割り当てられた帯域を利用してデータを送信する。
【０００６】
このような端末の帯域要求に関して、例えば、「総帯域要求」と「追加帯域要求」の２種類の手法がある。「総帯域要求」は、例えば、端末が帯域の総量を要求する帯域要求の手法である。一方、「追加帯域要求」は、例えば、過去に要求した帯域要求量に対して追加分を要求する帯域要求の手法である。
【０００７】
例えば、スマートフォンなどは、フィーチャーフォンなどと比較して、複数のアプリケーションを実行する場合が多い。あるアプリケーションを実行しているスマートフォンが他のアプリケーションを実行する際、当該他のアプリケーションを実行する際に要求する帯域要求は「追加帯域要求」となる場合がある。
【０００８】
或いは、端末がＵＬ−ＦＴＰ（Uplink-File Transfer Protocol）などにより大量のデータを基地局に送信する場合、１無線フレーム内において基地局が割り当て可能な最大帯域量（又は最大帯域量に相当する送信可能な最大データ量）を超えた分の帯域を端末が要求する場合がある。このような場合、最大帯域量を超えた分の帯域要求は「追加帯域要求」となる場合がある。
【０００９】
図１４は帯域要求処理のシーケンス例を表わす図である。図１４は、端末５００が総帯域要求（Ｓ１００）を行い、その後、追加帯域要求（Ｓ１０７，Ｓ１１２）を行う例を示している。
【００１０】
図１４について説明すると、端末５００のＭＡＣ／ＰＨＹ（Media Access Control/Physical Layer）５２１は、６０，０００バイトの未送信データを送信するため総帯域要求を行う（Ｓ１００）。例えば、ＭＡＣ／ＰＨＹ５２１は、総帯域要求として、帯域要求メッセージを基地局６００に送信する。
【００１１】
基地局６００は、帯域要求メッセージを受信すると、端末５００に対して帯域の割り当てを行う。しかし、１無線フレーム内において基地局６００が割り当て可能な帯域量には限りがある。図１４の例においては、１無線フレーム内において割り当て可能な最大帯域量は「３０００バイト」のデータ量に相当する量となっている。
【００１２】
この場合、基地局６００は複数回に分けて帯域割り当てを行う（Ｓ１０１，Ｓ１０３）。端末５００は、複数回に分けて割り当てられた帯域をそれぞれ利用して、未送信データを送信する（Ｓ１０２，Ｓ１０４）。
【００１３】
その後、端末５００は、総帯域分（例えば６０，０００バイトのデータ量に相当する帯域分）の全ての帯域割り当てを受けることになる。最初に割り当てを受けてから（Ｓ１０１）、全ての帯域の割り当てを受けるまで、最短でも２０（＝６０，０００／３，０００）無線フレームが必要となる。
【００１４】
しかし、図１４の例では、端末５００が総帯域分の全ての帯域割り当てを受ける前に、ＭＡＣ／ＰＨＹ５２１は上位層であるＴＣＰ（Transmission Control Protocol）５２０から６，０００バイトの追加分の送信データを受け取る（Ｓ１０５）。ＭＡＣ／ＰＨＹ５２１は、追加分の送信データを受け取ると、当該送信データを送信するための帯域を要求する（Ｓ１０７）。この場合も、例えば、ＭＡＣ／ＰＨＹ５２１は、追加帯域要求として帯域要求メッセージを送信する。
【００１５】
更に、ＭＡＣ／ＰＨＹ５２１はＴＣＰ５２０から９，０００バイトの追加分の送信データを更に受け取る（Ｓ１１０）。この場合も、ＭＡＣ／ＰＨＹ５２１は、当該追加分の送信データを送信するための帯域を更に要求する（Ｓ１１２）。
【００１６】
このように端末５００が追加分の送信データを送信する場合、ＭＡＣ／ＰＨＹ５２１はＴＣＰ５２０から追加分の送信データを受け取ると直ちに追加帯域要求を行うことになる（Ｓ１０７，Ｓ１１２）。
【００１７】
他方、帯域要求に関する技術としては、例えば、以下のような技術がある。すなわち、基地局は定期的にポーリングを行うことでＵＬ（Uplink）バーストの割り当てを行い、端末は割り当てられたＵＬバーストを用いて割当要求を行う場合において、ＵＬデータの送信レートが最大許容レートに到達すると基地局がポーリングを休止するようにした技術がある。この技術によれば、例えば、ポーリングの休止によって端末から基地局への割当要求の送信がなくなり、システム全体の上りスループットを向上させることができる。
【先行技術文献】
【特許文献】
【００１８】
【特許文献１】特開２００９‐２２５３５５号公報
【非特許文献】
【００１９】
【非特許文献１】IEEE Std 802.16TM-2009
【発明の概要】
【発明が解決しようとする課題】
【００２０】
しかしながら、上述した技術に関して、端末が総帯域要求により要求した全帯域の割り当てを受ける前に、追加帯域要求を複数回行う場合、帯域が無駄に消費される場合がある。
【００２１】
図１４の例において、端末５００は、追加帯域要求として２回の帯域要求メッセージを送信している（Ｓ１０７，Ｓ１１２）。帯域要求メッセージの送信に際して６バイト分の帯域が消費されるとした場合、２回の帯域要求メッセージにより１２バイト分の帯域が消費されることになる。
【００２２】
しかも、帯域要求メッセージの送信（Ｓ１０７，Ｓ１１２）によって、当該無線フレームにおいて送信可能なデータのデータ量は、１無線フレーム内における最大帯域割当量（例えば３，０００バイトの量に対応する帯域量）から６バイト分少ない量（例えば２９９４バイト）となっている（Ｓ１０８，Ｓ１１３）。
【００２３】
さらに、追加帯域要求により要求した帯域に関し、端末が基地局から割り当てを受けるのは、総帯域要求により要求した全帯域の割り当てを受けた後である。例えば、図１４の例では、端末５００は６０，０００バイトの全ての帯域割り当てを受けた後（例えば２０無線フレーム後）に、追加分のデータ（６，０００バイトと９，０００バイト）に対する帯域の割り当てを受けることになる。
【００２４】
一方、上述したポーリングを休止する技術は、端末が追加帯域要求を複数回行うことについては何ら考慮されていない。従って、上述したポーリングを休止する技術では、端末が総帯域要求により要求した全帯域の割り当てを受ける前に複数回の追加帯域要求を行うと、帯域が無駄に消費される場合がある。
【００２５】
そこで、本発明の一目的は、帯域を効率的に利用できるようにした無線通信装置、帯域要求方法、無線通信システム、及び無線通信システムの制御方法を提供することにある。
【課題を解決するための手段】
【００２６】
一態様によれば、他の無線通信装置にデータを送信するための総帯域を要求し、当該要求した総帯域に対して前記他の無線通信装置において割り当てられた帯域を利用して前記データを送信する無線通信装置であって、前記要求した総帯域に対して前記他の無線通信装置から割り当てられていない帯域の帯域量が、前記総帯域の要求後前記他の無線通信装置から前記帯域の割り当てを受けるまでの第１の期間において送信可能な最大データ量に相当する帯域量以下となるとき、前記要求した総帯域に対して追加の帯域を要求する帯域要求部を備える。
【発明の効果】
【００２７】
帯域を効率的に利用できるようにした無線通信装置、帯域要求方法、無線通信システム、及び無線通信システムの制御方法を提供することができる。
【図面の簡単な説明】
【００２８】
【図１】図１は無線通信装置の構成例を表わす図である。
【図２】図２は無線通信システムの構成例を表わす図である。
【図３】図３は端末の構成例を表わす図である。
【図４】図４は基地局の構成例を表わす図である。
【図５】図５は無線フレームの構成例を表わす図である。
【図６】図６は帯域要求処理のシーケンス例を表わす図である。
【図７】図７は帯域要求処理のシーケンス例を表わす図である。
【図８】図８（Ａ）及び図８（Ｂ）は帯域要求後、帯域割当てを受けるまでの期間の例を表わす図である。
【図９】図９は帯域要求処理の動作例を表わすフローチャートである。
【図１０】図１０は帯域要求処理の動作例を表わすフローチャートである。
【図１１】図１１は帯域要求処理の動作例を表わすフローチャートである。
【図１２】図１２（Ａ）及び図１２（Ｂ）は帯域要求後の帯域未割当期間のカウント例を表わす図である。
【図１３】図１３（Ａ）は端末、図１３（Ｂ）は基地局の構成例をそれぞれ表わす図である。
【図１４】図１４は従来における帯域要求処理のシーケンス例を表わす図である。
【発明を実施するための形態】
【００２９】
以下、本発明を実施するための形態について説明する。
【００３０】
［第１の実施の形態］
最初に第１の実施の形態について説明する。図１は第１の実施の形態における無線通信システム１０の構成例を表わす図である。無線通信システム１０は、無線通信装置１００と他の無線通信装置２００を備える。
【００３１】
無線通信装置１００は、他の無線通信装置２００にデータを送信するための総帯域を要求し、要求した総帯域に対して他の無線通信装置２００において割り当てられた帯域を利用してデータを送信する。無線通信装置１００は、このような帯域要求を行うことで、例えば、他の無線通信装置２００と無線接続して無線通信を行うことができる。
【００３２】
無線通信装置１００は、帯域要求部１５０を備える。帯域要求部１５０は、要求した総帯域に対して他の無線通信装置２００から割り当てられていない帯域の帯域量が、総帯域要求後他の無線通信装置２００から帯域の割り当てを受けるまでの第１の期間において送信可能な最大データ量に相当する帯域量以下となるとき、追加帯域の要求を行う。
【００３３】
例えば、無線通信装置１００が帯域要求を行った後、他の無線通信装置２００から帯域の割り当てを受けるまでの期間が第１の期間かかるとする。無線通信装置１００が総帯域要求を行っても、追加帯域要求を行っても、例えば、第１の期間かかるものとする。
【００３４】
また、無線通信装置１００は、例えば、１無線フレームにおいて送信可能な最大データ量に相当する帯域量の割り当てを他の端末装置２００から受けることができる。例えば、無線通信装置１００は、この帯域量に第１の期間を乗算することで、第１の期間において送信可能な最大データ量に相当する帯域量を算出することができる。
【００３５】
帯域割当部１５０は、例えば、他の無線通信装置２００に要求した総帯域に対して、割り当てを受けていない帯域未割当量と、第１の期間において送信可能な最大データ量に相当する帯域量とを比較し、前者が後者以下となるタイミングで、追加帯域要求を行う。例えば、第１の期間が「４」無線フレーム、１無線フレームあたりに送信可能な最大データ量が３，０００バイトのとき、第１の期間において送信可能な最大データ量は４×３，０００＝１２，０００バイトとなる。例えば、無線通信装置１００における帯域未割当量が、この１２，０００バイト以下となる「ｎ−４」番目の無線フレームのときに、帯域割当部１５０は追加帯域要求を行う。これにより、無線通信装置１００は、帯域未割当量が「０」となる「ｎ−１」番目の無線フレームに対して、次の「ｎ」番目の無線フレームにおいて、追加帯域要求に対する帯域の割り当てを受けることができる。  
【００３６】
例えば、帯域割当部１５０は「ｎ」番目の無線フレームで追加帯域要求を行うと、「ｎ＋４」番目の無線フレームで追加帯域要求に対する帯域の割り当てを受けることになる。この場合、端末１００は、「ｎ」番目の無線フレームから「ｎ＋３」番目の無線フレームまでは帯域の割り当てを受けることはできない。
【００３７】
一方、帯域割当部１５０は、「ｎ−４」番目の無線フレームのときに追加帯域要求を行うことで、各無線フレームにおいて継続して帯域の割り当てを受けることができる。これにより、例えば、本端末装置１００は、帯域の割り当てを受けない無線フレームが存在する場合と比較して、継続して帯域の割り当てを受けることができるため、帯域を効率的に利用することができる。
【００３８】
しかも、帯域割当部１５０は、「ｎ−４」番目の無線フレーム以前において、他の追加帯域要求を送信するときにおいても、当該追加帯域要求を送信せず、「ｎ−４」番目の無線フレームにおいてまとめて、１回の追加帯域要求を行う。従って、本端末装置１００は、追加帯域要求を複数回送信する場合と比較して、追加帯域要求を送信する回数は最小限に抑えることができる。これにより、例えば、本端末装置１００は、追加帯域要求を複数回送信する場合と比較して、追加帯域要求を送信するための帯域の利用も少なくなり、また、当該帯域の利用によるデータの送信量が少なくなることもなくなり、帯域を効率的に利用することができる。
【００３９】
［第２の実施の形態］
＜全体構成例＞
次に第２の実施の形態について説明する。本第２の実施の形態は以下の順番で説明する。すなわち、最初に無線通信システムの全体構成例について説明し、次に、無線端末装置（以下では「端末」と称する場合がある）と無線基地局装置（以下では「基地局」と称する場合がある）の各構成例について説明する。最後に、端末における帯域要求に関する動作例について説明する。
【００４０】
無線通信システムの全体構成例について説明する。図２は無線通信システム１０の構成例を表わす図である。無線通信システム１０は、端末１００−１〜１００−３と基地局２００を備える。
【００４１】
基地局２００は、例えば、端末１００−１〜１００−３と無線接続して無線通信を行う無線通信装置である。また、基地局２００は、１又は複数のセル範囲内において、端末１００−１〜１００−３に対して音声通信や映像配信などの種々のサービスを提供できる。さらに、基地局２００は、端末１００−１〜１００−３からの帯域要求に対して、各端末１００−１〜１００−３に対する帯域の割り当てを行う。
【００４２】
端末１００−１〜１００−３は、例えば、フィーチャーフォンやスマートフォン、無線通信可能なパーソナルコンピュータなどである。各端末１００−１〜１００−３は、例えば、基地局２００と無線接続して無線通信を行う無線通信装置でもある。各端末１００−１〜１００−３は、帯域の割り当てを基地局２００に要求し、基地局２００において割り当てられた帯域を利用して、データなどを基地局２００に送信できる。
【００４３】
なお、本第２の実施の形態において、「帯域」とは、例えば、周波数に関する帯域、又は、時間に関する帯域を含み、或いは、周波数と時間の双方に関する帯域を含む。例えば、無線通信システム１０において利用される通信方式がＴＤＤ（Time Divisional Duplex）方式の場合、「帯域」は時間に関する帯域であって、ＦＤＤ（Frequency Divisional Duplex）方式の場合、「帯域」は周波数に関する帯域となる。
【００４４】
また、通信規格に関して、本第２の実施の形態ではＩＥＥＥ８０２．１６ｅとして標準化された「Ｍｏｂｉｌｅ  ＷｉＭＡＸ」について説明する場合がある。しかし、本第２の実施の形態で適用可能な通信規格は「Ｍｏｂｉｌｅ  ＷｉＭＡＸ」以外にも、例えば、ＨＳＰＡ（High Speed Packet Access）やＬＴＥ、ＬＴＥ−Ａ、或いはＧＳＭ（登録商標）（Global System for Mobile Communications）などの通信規格が適用されてもよい。
【００４５】
図２では３つの端末１００−１〜１００−３が基地局２００と無線通信を行っている様子を表わしている。本第２の実施の形態において端末１００−１〜１００−３の台数は１台又は２台、或いは４台以上であってもよい。本第２の実施の形態では、端末１００−１〜１００−３について端末１００と称する場合がある。
【００４６】
また、基地局２００から端末１００への通信リンク方向をＤＬ（Down Link）方向、端末１００から基地局２００への通信リンク方向をＵＬ（Up Link）方向と称する場合がある。
【００４７】
＜端末１００の構成例＞
図３は端末１００の構成例を表わす図である。端末１００は、アンテナ１０１、ＲＦ（Radio Frequency）１０２、データ受信部１０３、帯域未割当量算出部１０４、帯域要求・割当遅延時間測定部１０５、帯域未割当期間測定部１０６、最大帯域割当量算出部１０７、上位層１０８、送信データ受信部１１０、送信データ情報格納部１１１、帯域要求メッセージ送信決定部１１２、帯域要求メッセージ送信部１１３を備える。
【００４８】
アンテナ１０１はＲＦ１０２から出力された無線信号を基地局２００に送信する。また、アンテナ１０１は基地局２００から送信された無線信号を受信してＲＦ１０２に出力する。
【００４９】
ＲＦ１０２は、帯域要求メッセージ送信部１１３から出力された帯域要求メッセージに対して周波数変換処理などを施して無線信号に変換し、変換した無線信号をアンテナ１０１に出力する。また、ＲＦ１０２は、アンテナ１０１で受信した無線信号に対して、周波数変換処理を施してベースバンド帯域の受信信号に変換し、変換した受信信号をデータ受信部１０３に出力する。ＲＦ１０２では、このような周波数変換処理などが行われるよう、周波数変換回路、帯域通過フィルタ（ＢＰＦ（Band Pass Filter））などを内部に備えてもよい。
【００５０】
データ受信部１０３は、ＲＦ１０２から出力された受信信号から、帯域割当量、帯域割当フレーム、ＭＣＳ（Modulation and Coding Schemes）情報、及びＵＬ帯域構成情報を抽出する。  データ受信部１０３は、抽出した帯域割当量を帯域未割当量算出部１０４と帯域未割当期間測定部１０６に出力する。また、データ受信部１０３は、抽出した帯域割当量と帯域割当フレームとを帯域要求・割当遅延時間測定部１０５に出力する。さらに、データ受信部１０３は、抽出したＭＣＳ情報とＵＬ帯域構成情報を最大帯域割当量算出部１０７に出力する。
【００５１】
帯域割当量とは、例えば、当該無線フレームにおいて端末１００に割り当てられた帯域量のことであり、ビット数で表わされているものとする。或いは、帯域割当量とは、例えば、当該無線フレームにおいて端末１００に割り当てられた帯域量に相当する量がデータ量として表わされたものである。また、帯域割当フレームとは、例えば、帯域割当が行われた無線フレームのフレーム番号のことである。
【００５２】
ここで、受信信号から帯域割当量などがどのように抽出されるかについて説明する。図５はＴＤＤ方式による無線フレームの構成例を表わす図である。図５に示す無線フレームにおいて、縦軸は周波数軸方向、横軸は時間軸方向を表わしている。無線フレームはＤＬサブフレームとＵＬサブフレームを含む。
【００５３】
図５に示すように、ＵＬ−ＭＡＰ情報は、無線フレーム内の所定領域（図５では「ＵＬ−ＭＡＰ」）に含まれている。例えば、ＵＬ−ＭＡＰ情報は無線フレームにおいて予め決められたサブチャネル番号とＯＦＤＭＡ（Orthogonal Frequency Division Multiplexing Access：直交周波数分割多元接続）シンボル番号で送信される。データ受信部１０３は、このサブチャネル番号とＯＦＤＭＡシンボル番号とを保持し、保持したサブチャネル番号とＯＦＤＭＡシンボル番号に基づいて受信信号からＵＬ−ＭＡＰ情報を抽出する。
【００５４】
ＵＬ−ＭＡＰ情報には、例えば、当該無線フレームにおいて端末１００に割り当てられたバーストサイズ、ＭＣＳ情報、当該無線フレームのフレーム番号、ＵＬ帯域構成情報などが含まれる。
【００５５】
データ受信部１０３は、例えば、受信信号からＵＬ−ＭＡＰ情報を抽出し、ＵＬ−ＭＡＰ情報に基づいて、帯域割当量や帯域割当フレームなどを算出又は抽出することができる。  
【００５６】
すなわち、データ受信部１０３は、例えば、ＵＬ−ＭＡＰ情報に含まれるバーストサイズやＭＣＳ情報などに基づいて帯域割当量を算出する。データ受信部１０３は、例えば、自局に割り当てられたバーストサイズに対して、ＭＣＳ情報に含まれる変調多値数を乗算することで、帯域割当量を算出する。或いは、データ受信部１０３は、例えば、ＵＬ−ＭＡＰ情報に含まれるバーストサイズを帯域割当量として出力する。
【００５７】
また、データ受信部１０３は、例えば、ＵＬ−ＭＡＰ情報から当該無線フレームのフレーム番号を抽出し、これを帯域割当フレームとして帯域要求・割当遅延時間測定部１０５に出力する。例えば、図５の例では、帯域の割り当てが行われた無線フレームのフレーム番号は「ｎ」である。例えば、データ受信部１０３はＵＬ−ＭＡＰ情報からフレーム番号である「ｎ」を抽出し、帯域割当フレームとして出力する。
【００５８】
さらに、データ受信部１０３は、例えば、ＵＬ−ＭＡＰ情報に含まれるＭＣＳ情報と当該無線フレーム全体のＵＬバーストの帯域構成情報をＵＬ−ＭＡＰ情報から抽出する。
【００５９】
図３に戻り、帯域未割当量算出部１０４は帯域未割当量を算出する。帯域未割当量とは、例えば、端末１００が要求した帯域割当量に対して基地局２００から割り当てられていない帯域の帯域量のことである。帯域未割当量算出部１０４は、例えば、帯域未割当量を、基地局２００に対して要求した帯域量（総帯域要求と追加帯域要求により要求した帯域量）から、基地局２００から割り当てを受けた帯域量を減算することで算出している。
【００６０】
すなわち、帯域未割当量算出部１０４は、帯域要求メッセージ送信部１１３から出力された総帯域要求メッセージの帯域割当量を帯域未割当量として保持し、帯域要求メッセージ送信部１１３から出力された追加帯域要求メッセージの帯域割当量を帯域未割当量に加算する。また、帯域未割当量算出部１０４は、データ受信部１０３から出力された帯域割当量を帯域未割当量から減算する。帯域未割当量算出部１０４は、算出した帯域未割当量を帯域要求メッセージ送信決定部１１２に出力する。
【００６１】
帯域要求・割当遅延時間測定部１０５は、帯域要求・割当遅延時間を測定する。帯域要求・割当遅延時間とは、例えば、端末１００が基地局２００に帯域要求を行った後、基地局２００から当該帯域要求に対する帯域の割り当てを受けるまでの時間のことである。帯域要求・割当遅延時間測定部１０５は、帯域要求メッセージ送信部１１３から帯域要求フレームを受け取る。この帯域要求フレームは、例えば、帯域要求を行った無線フレームのフレーム番号を表わしている。また、帯域要求・割当遅延時間測定部１０５は、データ受信部１０３から帯域割当フレームを受け取る。この帯域割当フレームは、例えば、帯域要求に対して帯域の割り当てを受けた無線フレームのフレーム番号を表わしている。帯域要求・割当遅延時間測定部１０５は、データ受信部１０３から受け取った帯域割当フレームから、帯域要求メッセージ送信部１１３から受け取った帯域要求フレームを減算することで、帯域要求・割当遅延時間を測定する。
【００６２】
詳細は後述するが、例えば、図８（Ａ）の例において、「ｎ」番目の無線フレームで端末１００が帯域要求を行い、「ｎ＋４」番目の無線フレームで当該帯域要求に対する帯域の割り当てを受けた場合、帯域要求・割当遅延時間は「４」無線フレームとなる。
【００６３】
なお、帯域要求・割当遅延時間測定部１０５は、例えば、帯域要求・割当時間の測定を複数回行い、平均した帯域要求・割当遅延時間を測定する。この平均した帯域要求・割当遅延時間を例えば平均遅延時間と称する場合がある。ただし、１回の帯域要求・割当時間の測定でも平均遅延時間と称する場合もある。
【００６４】
また、帯域要求・割当遅延時間測定部１０５は、帯域要求メッセージ送信部１１３とデータ受信部１０３とから帯域要求量を取得している。これは、例えば、帯域要求・割当遅延時間測定部１０５が２つの帯域要求量を比較することで、帯域要求を行った無線フレームと帯域の割り当てを受けた無線フレームとが対応しているか否かを確認することができる。
【００６５】
帯域未割当期間測定部１０６は、帯域要求メッセージ送信部１１３から出力された帯域要求メッセージの送信の有無と、データ受信部１０３から出力された帯域割当量とに基づいて、帯域要求後の帯域未割当期間を測定する。帯域要求後の帯域未割当期間とは、例えば、端末１００が帯域要求を行った後、帯域の割り当てを受けていない期間のことである。
【００６６】
帯域未割当期間測定部１０６が帯域要求後の帯域未割当期間を測定するのは、例えば、以下の理由による。すなわち、測定した帯域要求後の帯域未割当期間が、帯域要求・割当遅延時間測定部１０５で測定された平均遅延時間を超える場合、端末１００が帯域要求メッセージを送信しても、基地局２００は帯域要求メッセージを受信していない可能性がある。
【００６７】
詳細は後述するが、例えば、図１２（Ａ）の例において、平均遅延時間が「４」無線フレームであり、端末１００は「ｎ＋７」番目の無線フレームから帯域割り当てを受けていない場合を考える。この場合、「ｎ＋１１」番目の無線フレームのとき、帯域要求後の帯域未割当期間が「５」無線フレームとなって、平均遅延時間である「４」無線フレームを超えている。
【００６８】
このような場合、端末１００は帯域要求メッセージの送信を再送するようにしている。これにより、例えば、基地局２００が確実に帯域要求メッセージを受信することができるように動作させることが可能となり、更に、端末１００は確実に帯域割り当てを受けることができるようになる。再送の有無の判別は、例えば、帯域要求メッセージ送信決定部１１２で行われることになるが、帯域未割当期間測定部１０６は、この判別の基となる帯域要求後の帯域未割当期間を算出する。算出の詳細などは後述する。
【００６９】
図３に戻り、最大帯域割当量算出部１０７は、データ受信部１０３から出力されたＭＣＳ情報とＵＬ帯域構成情報に基づいて、最大帯域割当量を算出する。最大帯域割当量は、例えば、１無線フレームあたり、基地局２００が配下の全端末に割り当てることのできる帯域量（又は帯域量に相当するデータ量）のことである。例えば、図５の例では、「ＵＬ  ｂｕｒｓｔ＃１」から「ＵＬ  ｂｕｒｓｔ＃５」までのバーストサイズに対応する帯域量が最大帯域割当量となる。
【００７０】
例えば、ＭＣＳ情報には変調方式（例えば変調多値数）が含まれ、これによって最大帯域割当量算出部１０７は、帯域１単位（例えば１スロット）あたりの帯域割当量（例えばビット数）を把握できる。また、ＵＬ帯域構成情報には、例えば、当該無線フレームにおいて割当可能な帯域数（例えばスロット数）が含まれる。変調方式は、例えば、端末１００と基地局２００との間の無線区間における無線品質に対応する。基地局２００は、スケジューリングに際して、無線品質に応じて端末２００の変調方式を異なるものにすることができる。
【００７１】
帯域１単位あたりの帯域割当量をＳ［Ｍ］（Ｍは変調方式）、１無線フレームにおいて割当可能な帯域数をＢＷＭＡＸとすると、最大帯域割当量は、
【００７２】
【数１】
2014075703.tif 000003
【００７３】
となる。最大帯域割当量は、例えば、変調方式により異なる値を取り得る。最大帯域割当量算出部１０７は、算出した最大帯域割当量を帯域要求メッセージ送信決定部１１２に送信する。
【００７４】
上位層１０８は、基地局２００に送信する送信データ（例えば、音声データや画像データ、ファイルデータなど）を生成する。上位層１０８は、生成した送信データを送信データ受信部１１０に出力する。
【００７５】
送信データ受信部１１０は、上位層１０８から出力された送信データを送信データ情報格納部１１１に格納する。本第２の実施の形態では、送信データ受信部１１０は、基地局２００に送信していない未送信データを送信データ情報格納部１１１に格納する。
【００７６】
例えば、送信データ受信部１１０は、送信データを基地局２００に送信後、受信確認を表わすメッセージ（例えばＡＣＫ（Acknowledge）メッセージ）を受信すると送信データ情報格納部１１１から送信データを削除する。また、送信データ受信部１１０は、受信確認を表わすメッセージを受信しない場合、送信データ情報格納部１１１に格納された送信データはそのままの状態にする。これにより、未送信データが送信データ情報格納部１１１に格納されることになる。
【００７７】
送信データ情報格納部１１１は、例えば、メモリなどの記憶装置である。送信データ情報格納部１１１は、未送信データを所定の記憶領域に格納する。
【００７８】
帯域要求メッセージ送信決定部１１２は、送信データ情報格納部１１１にアクセスして、未送信データのデータ量を算出する。例えば、帯域要求メッセージ送信決定部１１２は、未送信データが記憶された領域のアドレス情報に基づいて、未送信データのデータ量を算出する。
【００７９】
また、帯域要求メッセージ送信決定部１１２は、帯域未割当量算出部１０４から帯域未割当量、帯域要求・割当遅延時間測定部１０５から平均遅延時間、帯域未割当期間測定部１０６から帯域要求後の帯域未割当期間を取得する。さらに、帯域要求メッセージ送信決定部１１２は、最大帯域割当量算出部１０７から最大帯域割当量を取得する。
【００８０】
そして、帯域要求メッセージ送信決定部１１２は、未送信データのデータ量、帯域未割当量、平均遅延時間、帯域未割当期間、最大帯域割当量に基づいて、帯域要求メッセージの送信条件をチェックする。帯域要求メッセージの送信条件の詳細は後述する。帯域要求メッセージ送信決定部１１２は、帯域要求メッセージの送信条件を満たすとき、帯域要求メッセージを生成して、帯域要求メッセージ送信部１１３に出力する。この場合、帯域要求メッセージ送信決定部１１２は、例えば、未送信のデータ量に相当する帯域量を帯域要求量として帯域要求メッセージに含ませる。一方、帯域要求メッセージ送信決定部１１２は、帯域要求メッセージの送信条件を満たさないとき、帯域要求メッセージ送信部１１３に帯域要求不要を通知する。
【００８１】
帯域要求メッセージ送信部１１３は、帯域要求メッセージ送信決定部１１２から受け取った帯域要求メッセージをＲＦ１０２に出力する。例えば、帯域要求メッセージ送信部１１３は、帯域要求メッセージに対して、誤り訂正符号化処理や変調処理などを施して、ＲＦ１０２に出力する。このため、帯域要求メッセージ送信部１１３は、誤り訂正符号化回路や変調回路などを備えていてもよい。
【００８２】
また、帯域要求メッセージ送信部１１３は、帯域要求メッセージに含まれる帯域要求量を抽出し、抽出した帯域要求量を帯域未割当量算出部１０４に出力する。さらに、帯域要求メッセージ送信部１１３は、帯域要求メッセージを送信する無線フレームのフレーム番号を決定し、決定したフレーム番号を帯域要求フレームとして、帯域要求・割当遅延時間測定部１０５に出力する。この場合、帯域要求メッセージ送信部１１３は、帯域要求フレームとともに、帯域要求量を帯域要求・割当遅延時間測定部１０５に出力する。
【００８３】
さらに、帯域要求メッセージ送信部１１３は、帯域要求メッセージの送信の有無を帯域未割当期間測定部１０６に通知する。例えば、帯域要求メッセージ送信部１１３は、帯域要求メッセージ送信決定部１１２から帯域要求メッセージを受け取ったときは帯域要求メッセージ送信有りを帯域未割当期間測定部１０６に通知する。一方、帯域要求メッセージ送信部１１３は、帯域要求メッセージ送信決定部１１２から帯域要求不要の通知を受け取ったときは帯域要求メッセージ送信無しを帯域未割当期間測定部１０６に通知する。
【００８４】
＜基地局２００の構成例＞
図４は基地局２００の構成例を表わす図である。基地局２００は、受信アンテナ２０１、ＲＦ２０２，２０６、帯域要求メッセージ受信部２０３、帯域割当部２０４、及びデータ送信部２０５、及び送信アンテナ２０７を備える。
【００８５】
受信アンテナ２０１は、端末１００から送信された無線信号を受信し、受信した無線信号をＲＦ２０２に出力する。
【００８６】
ＲＦ２０２は、受信アンテナ２０１から受け取った無線信号に対して、周波数変換処理などを施すことでベースバンド帯域の受信信号に変換する。ＲＦ２０２は、変換した受信信号を帯域要求メッセージ受信部２０３に出力する。
【００８７】
帯域要求メッセージ受信部２０３は、受信信号から帯域要求メッセージを抽出する。端末１００が送信した帯域要求メッセージは、例えば、帯域割当部２０４が割り当てた帯域（例えば図５の「ＵＬ  ｂｕｒｓｔ＃１」）とＭＣＳを利用して送信される。そのため、帯域要求メッセージ受信部２０３は、これらの情報を帯域割当部２０４から受け取り、当該情報に基づいて受信信号に対して復調処理や誤り訂正復号化処理などを施すことで、帯域要求メッセージを抽出する。帯域要求メッセージ受信部２０３は、受信した帯域要求メッセージを帯域割当部２０４に出力する。
【００８８】
帯域割当部２０４は、端末１００から送信された帯域要求メッセージを受け取ると、当該端末１００に対して帯域の割り当てを行う。この際、帯域割当部２０４は、帯域要求メッセージに含まれる帯域要求量に基づいて帯域の割り当てを行う。帯域割当部２０４は、例えば、無線フレームを作成し、ＤＬサブフレームとＵＬサブフレームの各バーストの構成情報を含むＤＬ−ＭＡＰ情報とＵＬ−ＭＡＰ情報を生成することで帯域の割り当てを行う。帯域割当部２０４は、生成したＤＬ−ＭＡＰ情報とＵＬ−ＭＡＰ情報をデータ送信部２０５に出力する。
【００８９】
データ送信部２０５は、例えば、帯域割当部２０４から受け取ったＤＬ−ＭＡＰ情報とＵＬ−ＭＡＰ情報をＲＦ２０６に出力する。
【００９０】
ＲＦ２０６は、データ送信部２０５から受け取ったＤＬ−ＭＡＰ情報とＵＬ−ＭＡＰ情報などに対して、周波数変換処理などを施すことで無線信号に変換し、変換した無線信号を送信アンテナ２０７に出力する。
【００９１】
送信アンテナ２０７は、ＲＦ２０６から受け取った無線信号を端末１００に送信する。これにより、例えば、基地局２００は端末１００に対して割り当てた帯域を端末１００に送信することができる。
【００９２】
＜動作例＞
次に動作例について説明する。動作例については、理解を容易にするため、最初に端末１００と基地局２００における帯域要求処理のシーケンス例を説明する。次に、端末１００が帯域要求処理を行う場合の動作フローの例について説明する。
【００９３】
＜帯域要求処理のシーケンス例＞
図６及び図７は、端末１００と基地局２００における帯域要求処理のシーケンス例を表わす図である。図６及び図７において、端末１００にはＴＣＰ１２０とＭＡＣ／ＰＨＹ１２１を備えている。例えば、ＴＣＰ１２０は上位層１０８（例えば図３）に対応し、ＭＡＣ／ＰＨＹ１２１は送信データ受信部１１０、送信データ情報格納部１１１、帯域要求メッセージ送信決定部１１２、帯域要求メッセージ送信部１１３、及びＲＦ１０２に対応する。
【００９４】
端末１００は未送信データとして６０，０００バイトを保持している。ＭＡＣ／ＰＨＹ１２１は、６０，０００バイトの未送信データを送信することができるよう、６０，０００バイトのデータ量に相当する帯域を要求する（Ｓ１０）。例えば、ＭＡＣ／ＰＨＹ１２１は、総帯域要求として、帯域要求メッセージを送信する。
【００９５】
この場合、端末１００が基地局２００に対して帯域要求を行ったとしても、基地局２００における処理遅延などから、帯域要求に対する割り当てを受けるまでは遅延が発生する。図６の例では、端末１００が帯域要求をしてから帯域割当を受けるまで、４無線フレームの遅延がある。例えば、端末１００は、「ｎ」番目の無線フレームで帯域要求をしたとき（Ｓ１０）、「ｎ＋４」番目の無線フレームで帯域の割り当てを受ける（Ｓ１１）。
【００９６】
この４無線フレームの間、端末１００は帯域の割り当てを受けることはできない。このため、４無線フレームの間では、帯域未割当量は６０，０００バイトのままとなっている。また、基地局２００も、遅延のため、要求した総帯域分の６０，０００バイトの割当待ち帯域がある。
【００９７】
４無線フレーム経過した後、端末１００は、基地局２００から、総帯域要求に対する帯域の割り当てを受ける（Ｓ１１）。
【００９８】
本動作例では、例えば、端末１００は１無線フレームあたり３，０００バイトの最大帯域割当量の割り当てを受けることができるものとする。この場合、端末１００は、要求した６０，０００バイト分の帯域に対する全ての割り当てを本処理（Ｓ１１）において受けることはできない。端末１００は、複数回に分けて総帯域に対する帯域の割り当てを受けることになる。以降において、例えば、端末１００は最大帯域割当量の３，０００バイトに相当する帯域の割り当てを順次受けることができるものとする。この時点（Ｓ１１）において、総帯域要求である６０，０００バイトに対して、５７，０００バイトのデータ量に相当する帯域が帯域未割当量となっている。
【００９９】
次いで、端末１００は、割り当てを受けた３，０００バイト分の帯域を利用して、未送信データの一部を送信する（Ｓ１２）。
【０１００】
次いで、次の無線フレームにおいても、端末１００は、最大帯域割当量である３，０００バイトに相当する帯域の割り当てを受ける（Ｓ１３）。この時点おいては、５４，０００バイトのデータ量に相当する帯域が帯域未割当量となっている。  
【０１０１】
次いで、端末１００は、割り当てを受けた帯域を利用して、未送信データの一部を送信する（Ｓ１４）。
【０１０２】
次いで、端末１００のＭＡＣ／ＰＨＹ１２１はＴＣＰ１２０から追加分の送信データを受け取る（Ｓ１５）。また、端末１００は、基地局２００から３，０００バイト分の帯域の割り当てを受ける（Ｓ１６）。
【０１０３】
このとき、端末１００では、追加分の送信データに対する帯域要求メッセージの送信条件をチェックする。すなわち、帯域要求メッセージ送信決定部１１２は、帯域未割当量、平均遅延時間、最大帯域割当量を以下に示す数２に代入し、数２を満たすか否かにより、帯域要求メッセージの送信条件をチェックする。
【０１０４】
【数２】
2014075703.tif 000004
【０１０５】
ここで、ＢＷＳｒｅｓｔは帯域未割当量、ＴＤ＿ＡＶＧは平均遅延時間を表わし、Ｓ［Ｍ］×ＢＷＭＡＸは、上述した数１に対応し、最大帯域割当量を表わしている。また、ｃｅｉｌ（）は少数点以下繰り上げを表わす。
【０１０６】
例えば、図６のＳ１６の直後では、帯域未割当量は５１，０００バイト（５４，０００−３，０００）、最大帯域割当量は３，０００バイト、平均遅延時間は４無線フレームであり、５１，０００バイト＞４フレーム×３，０００バイト、となって数２の式を満たさない。この場合、端末１００は、帯域要求メッセージの送信条件を満たしていないと判別し、このタイミングでは追加分の６，０００バイトに対する追加帯域要求を行わない（Ｓ１７）。
【０１０７】
数２については、例えば、帯域未割当量≦（平均遅延時間×最大帯域割当量）と表わすこともできる。この数２の式の詳細について以下説明する。
【０１０８】
図８（Ａ）及び図８（Ｂ）は、追加帯域要求後、追加帯域要求に対する帯域の割り当てを受けるまでの例を表わす図である。図８（Ａ）及び図８（Ｂ）において「ｎ」や「ｎ＋１」は無線フレームのフレーム番号を表わす。また、図８（Ａ）及び図８（Ｂ）の例では、「ｎ−１」番目の無線フレームにおいて端末１００は総帯域要求に対する全ての帯域の割当てを受けるものとする。
【０１０９】
例えば、端末１００が追加帯域要求を行うタイミングについて、図８（Ａ）に示すように、「ｎ」番目の無線フレームで行う場合を考える。
【０１１０】
端末１００が「ｎ」番目の無線フレームにおいて追加帯域要求を行うと、平均遅延時間後である４無線フレーム後の「ｎ＋４」番目の無線フレームにおいて、追加帯域要求に対する帯域の割り当てを受ける。この場合、「ｎ」番目の無線フレームから「ｎ＋３」番目の無線フレームまでは帯域割り当ては行われない。
【０１１１】
これに対して、端末１００は、図８（Ｂ）に示すように、未送信データに対する帯域未割当量が、平均遅延時間内において割当てを受けることのできる最大帯域割当量と同じかそれ以下になるタイミングで追加帯域要求を行う。図８（Ｂ）の例では、帯域未割当量が、平均遅延時間４無線フレーム×最大帯域割当量３，０００バイトとなる１２，０００バイト（またはそれ以下）となるタイミングである「ｎ−４」番目の無線フレームにおいて追加帯域要求を行う。
【０１１２】
この場合、端末１００は、「ｎ」番目の無線フレームから追加帯域要求に対する帯域の割り当てを受けることができる。すなわち、端末１００は、「ｎ−４」番目の無線フレームから「ｎ−１」番目の無線フレームにおいては総帯域要求に対する帯域の割り当てを受け、「ｎ」番目の無線フレーム以降においては追加帯域要求に対する帯域の割り当てを受ける。
【０１１３】
このように、「ｎ−４」番目の無線フレームで追加帯域要求を行うことで、無線フレームにおいて帯域の割り当てを継続して基地局２００に行わせることが可能となる。また、この場合、端末１００は帯域割り当てを受けるタイミング（更には追加データを送信するタイミング）も図８（Ａ）の場合よりも早く送信できる。
【０１１４】
さらに、この場合、端末１００は帯域送信メッセージの送信回数を最小限に抑えることもできる。例えば、端末１００は、「ｎ−４」番目の無線フレームより前において、他の追加データが存在して追加帯域要求を行う場合、「ｎ−４」番目の無線フレームのタイミングにおいてまとめて追加帯域要求を行う。
【０１１５】
これにより、端末１００が、追加帯域要求に対する帯域要求メッセージを複数回送信する場合と比較して、帯域要求メッセージを送信する回数を１回となり、最小限に抑えることができる。従って、端末１００は、帯域要求メッセージを複数回で送信する場合と比較して、帯域を無駄に消費せず、帯域の効率的な使用を行うことができる。
【０１１６】
以上から、数２は、例えば、端末１００が追加帯域要求を行うタイミングを表わしている。すなわち、数２は、例えば、帯域未割当量が端末１００からの帯域要求に対して基地局２００が帯域割当を送信するまでに要する処理期間で送信可能なデータ量に相当する帯域量以下となっているか否かを表わしている。或いは、数２は、例えば、帯域未割当量が端末１００の要求する帯域要求に対して基地局２００から割り当てを受けるまでに要する期間で送信可能なデータ量（又は送信可能な最大データ量）に相当する帯域量以下となっているか否かを表わしている。
【０１１７】
例えば、端末１００は、数２を満たすとき、帯域未割当量が当該データ量に相当する帯域量以下となっているため追加帯域要求を行い、数２を満たさないとき、帯域未割当量が当該データ量に相当する帯域量よりも多くなっているため追加帯域要求を行わない。
【０１１８】
図６に戻り、Ｓ１６の直後においては、帯域未割当量は数２を満たさないため、端末１００は追加帯域要求を行わない（Ｓ１７）。
【０１１９】
次いで、端末１００は割り当てられた帯域（Ｓ１６）を利用して、未送信データの一部を送信する（Ｓ１８）。
【０１２０】
次いで、端末１００のＭＡＣ／ＰＨＹ１２１はＴＣＰ１２０から、９，０００バイトの追加送信データを受け取る（Ｓ２０）。また、端末１００は、基地局２００から３，０００バイト分の帯域の割当てを受ける（Ｓ２１）。
【０１２１】
この場合も、端末１００は帯域要求メッセージの送信条件をチェックする。帯域未割当量である４８，０００バイト（＝５１，０００−３，０００）は、１２，０００（＝平均遅延時間４無線フレーム×最大帯域割当量３，０００バイト）以下とはならない。この場合、数２は満たしていないため、端末１００は追加帯域要求を行わない（Ｓ２２）。
【０１２２】
次いで、端末１００は、割り当てを受けた帯域（Ｓ２１）を利用して、未送信データの一部を送信する（Ｓ２３）。以後、端末１００と基地局２００は、帯域の割り当てと未送信データの送信の処理を繰り返す。
【０１２３】
そして、端末１００は、基地局２００から帯域割当を受けて（図７のＳ２４）、帯域未割当量が１２，０００バイトになると、平均遅延時間×最大帯域割当量と同じ量となって、追加帯域要求を行う（Ｓ２５）。
【０１２４】
この場合、端末１００は、２つの追加送信データ（Ｓ１５とＳ２０）に対する追加帯域要求をまとめて、１つの追加帯域要求を行う（Ｓ２６）。すなわち、端末１００は、Ｓ１５の６，０００バイトとＳ２０の９，０００バイトとをまとめて、１５，０００バイトに相当する帯域量を要求する追加帯域要求メッセージを送信する。
【０１２５】
次いで、端末１００は、追加帯域要求を送信した無線フレームにおいて、未送信データの一部を送信する（Ｓ２７）。この場合、当該無線フレームにおいては、追加帯域要求メッセージを送信する６バイト分の帯域だけデータを送信する帯域が少なくなり、２，９９４バイトのデータを送信できる。
【０１２６】
以後、端末１００と基地局２００は、帯域の割り当てとデータの送信とを繰り返し（Ｓ２８〜Ｓ３４）、端末１００は、追加帯域要求後４無線フレーム後において、追加帯域要求に対する割り当てを受ける（Ｓ３５）。
【０１２７】
なお、図７の例では、端末１００は、追加帯域要求の割当てを受けた無線フレーム（Ｓ３５）において、総帯域要求をした６０，０００バイトのうち、最後の未送信分の送信データを送信している（Ｓ３６）。端末１００は、最後の未送信分の送信データを送信後、次の無線フレーム以降において、追加帯域要求分の送信データを送信することになる。
【０１２８】
＜端末１００における帯域要求処理の動作例＞
次に端末１００における帯域要求処理の動作例について説明する。上述したシーケンス例の説明と一部重複する部分については適宜省略して説明する。
【０１２９】
図９から図１１は端末１００における帯域要求処理の動作例を表わすフローチャートである。
【０１３０】
端末１００は処理を開始すると（Ｓ５０）、新規の送信データが上位層１０８から通知されたか否かを判別する（Ｓ５１）。例えば、送信データ受信部１１０は上位層１０８から送信データを受け取ったか否かにより判別する。
【０１３１】
新規の送信データが上位層１０８から通知されたとき（Ｓ５１でＹｅｓ）、送信データ受信部１１０は上位層１０８から送信データを受け取る（Ｓ５２）。例えば、図６の例では、送信データ受信部１１０はＴＣＰ１２０から総帯域要求分の未送信データ（６０，０００バイト）を受け取る。或いは、送信データ受信部１１０は、ＴＣＰ１２０から追加分の送信データ（６，０００バイト、９，０００バイト）を受け取る。
【０１３２】
図９に戻り、次いで、送信データ受信部１１０は、上位層１０８から受け取った送信データを送信データ情報格納部１１１に格納する（Ｓ５３）。例えば、図６の例では、送信データ受信部１１０はＴＣＰ１２０から６０，０００バイトの総帯域要求分の送信データ（Ｓ１０）や６，０００バイトや９，０００バイトの追加分の送信データ（Ｓ１５，Ｓ２０）を送信データ情報格納部１１１に格納する。
【０１３３】
図９に戻り、一方、新規の送信データが上位層１０８から通知されないとき（Ｓ５１）、端末１００は、Ｓ５２とＳ５３の処理を行うことなくＳ５４の処理に移行する。また、端末１００はＳ５３の処理を終了後、Ｓ５４の処理に移行する。
【０１３４】
Ｓ５４において、帯域要求メッセージ送信決定部１１２は、送信データ情報格納部１１１から未送信データを取得する。
【０１３５】
次いで、帯域要求メッセージ送信決定部１１２は、未送信データが存在するか否かを判別する（Ｓ５５）。例えば、帯域要求メッセージ送信決定部１１２は、送信データ情報格納部１１１にアクセスして未送信データを取得できれば、未送信データが存在すると判別する（Ｓ５５でＹｅｓ）。
【０１３６】
一方、帯域要求メッセージ送信決定部１１２は、送信データ情報格納部１１１にアクセスしたものの未送信データが格納されておらず未送信データを取得できないとき、未送信データが存在しないと判別する（Ｓ５５でＮｏ）。
【０１３７】
未送信データが存在するとき（Ｓ５５でＹｅｓ）、帯域要求メッセージ送信決定部１１２は帯域要求・割当遅延時間測定部１０５から平均遅延時間を取得する（Ｓ５７）。
【０１３８】
次いで、帯域要求メッセージ送信決定部１１２は、帯域未割当期間測定部１０６から帯域要求後の帯域未割当期間を取得する（Ｓ５８）。
【０１３９】
ここで帯域要求後の帯域未割当期間の算出例について説明する。図１２（Ａ）及び図１２（Ｂ）は、帯域要求後の帯域未割当期間の算出例を説明するための図である。図１２（Ａ）及び図１２（Ｂ）の例では、例えば、「ｎ」番目の無線フレームにおいて帯域要求が行われる。帯域要求は、総帯域要求でもよいし追加帯域要求でもよい。説明を容易にするため、例えば、帯域要求は総帯域要求とする。
【０１４０】
帯域未割当期間測定部１０６は、端末１００が帯域要求を行ったとき、カウント値を初期化する。その後、帯域未割当期間測定部１０６は、帯域の割り当てを受けていない無線フレームの期間をカウントする。この間、帯域未割当期間測定部１０６は、端末１００が帯域の割り当てを受けると、カウント値を初期化する。
【０１４１】
図１２（Ａ）の例では、「ｎ」番目のフレームで帯域要求が行われるため、帯域未割当期間としてのカウント値は初期化されて「０」となる。「ｎ」番目の無線フレームから「ｎ＋３」番目の無線フレームまでは端末１００は帯域の割り当てを受けていないため、順次、カウント値がカウントアップされる。また、「ｎ＋４」番目の無線フレームから「ｎ＋６」番目の無線フレームまでは端末１００は帯域の割り当てを受けているため、カウント値は初期化されて「０」となる。さらに、「ｎ＋７」番目の無線フレーム以降において端末１００は帯域の割り当てを受けていないため、「ｎ＋７」番目の無線フレーム以降の無線フレームにおいては、カウント値がカウントアップされ続けることになる。
【０１４２】
図３を参照すると、帯域未割当期間測定部１０６は、帯域要求メッセージ送信部１１３から帯域要求メッセージの送信有りの通知を受けると、端末１００が帯域要求を行ったものとして、カウント値を初期化する。その後、帯域未割当期間測定部１０６は、データ受信部１０３から帯域割当量を受け取ると、端末１００が帯域の割り当てを受けたものとして、帯域割当量を受ける毎にカウント値をカウントアップする。さらに、帯域未割当期間測定部１０６は、データ受信部１０３から、所定期間（例えば１無線フレーム期間）内に帯域割当量を受け取らないと、端末１００が帯域の割り当てを受けていないとして、カウント値を初期化する。
【０１４３】
帯域未割当期間測定部１０６は、このようなカウント値をカウントしており、カウント値を帯域要求後の帯域未割当期間として、帯域要求メッセージ送信決定部１１２に出力する。
【０１４４】
図９に戻り、帯域要求メッセージ送信決定部１１２は帯域未割当期間を取得すると（Ｓ５８）、平均遅延時間と帯域要求後の帯域未割当期間とを比較して、帯域要求後の帯域未割当期間は平均遅延時間を超えているか否かを判別する（図１０のＳ６０）。
【０１４５】
帯域要求メッセージ送信決定部１１２は、帯域要求後の帯域未割当期間が平均遅延時間を超えるとき（Ｓ６０でＹｅｓ）、帯域要求を再送するため、帯域要求メッセージを生成して帯域要求メッセージ送信部１１３に通知する（Ｓ６５）。
【０１４６】
例えば、図１２（Ｂ）に示すように、「ｎ＋１１」番目の無線フレームにおいては、「ｎ＋７」番目の無線フレームから「５」無線フレーム経過しており、平均遅延時間である「４」無線フレームを超える。このような場合、端末１００は、「ｎ＋１１」番目の無線フレームにおいて帯域要求メッセージを再送する。これにより、端末１００は確実に帯域の割り当てを受けることができる。
【０１４７】
次いで、帯域要求メッセージ送信部１１３は、受け取った帯域要求メッセージをＲＦ１０２に通知する（Ｓ６６）。帯域要求メッセージがＲＦ１０２とアンテナ１０１を介して基地局２００に送信されることで、帯域要求メッセージが基地局２００に再送される。
【０１４８】
次いで、帯域未割当量算出部１０４は、帯域要求メッセージ送信部１１３から帯域要求量を取得し、帯域未割当量を更新する（Ｓ６７）。帯域未割当量算出部１０４は、例えば、帯域要求メッセージ送信部１１３が帯域要求メッセージを送信する毎に、帯域未割当量を最新のものに更新するようにしている。
【０１４９】
次いで、帯域要求・割当遅延時間測定部１０５は、帯域要求メッセージ送信部１１３から帯域要求量と帯域要求フレームとを取得する（Ｓ６８）。例えば、帯域要求・割当遅延時間測定部１０５は、帯域要求メッセージを再送する場合でも、帯域要求フレームなどを用いて平均遅延時間を測定するためである。
【０１５０】
次いで、帯域未割当期間測定部１０６は帯域要求後の帯域未割当期間を初期化する（図１１のＳ７０）。例えば、帯域未割当期間測定部１０６では、帯域要求メッセージが再送される場合でも、帯域要求後の帯域未割当期間（例えばカウンタ値）を測定しており、帯域要求メッセージの送信により初期化（例えば「０」）するためである。
【０１５１】
一方、帯域要求メッセージ送信決定部１１２は、帯域要求後の帯域未割当期間が平均遅延時間を超えないとき（Ｓ６０でＮｏ）、追加分の送信データに対する帯域要求メッセージの送信条件をチェックする（Ｓ６１〜Ｓ６３）。
【０１５２】
すなわち、帯域要求メッセージ送信決定部１１２は、帯域未割当量算出部１０４から帯域未割当量を取得し（Ｓ６１）、最大帯域割当量算出部１０７から最大帯域割当量を取得する（Ｓ６２）。
【０１５３】
そして、帯域要求メッセージ送信決定部１１２は、平均遅延時間（Ｓ５７）、帯域未割当量（Ｓ６１）、最大帯域割当量（Ｓ６２）から、数２を満たすか否かを判別する（Ｓ６３）。すなわち、帯域要求メッセージ送信決定部１１２は、帯域未割当量≦（最大帯域割当量×平均遅延時間（図１０では「帯域要求・割当遅延時間」と記載している））を満たすか否かを判別する。
【０１５４】
帯域要求メッセージ送信決定部１１２は、数２を満たすと判別するとき（Ｓ６３でＹｅｓ）、帯域要求メッセージを生成し、帯域要求メッセージ送信部１１３に通知する（Ｓ６５）。この場合の帯域要求メッセージは、例えば、追加分の送信データに対する帯域要求メッセージである。図７の例では、本処理（Ｓ６５）はＳ２６に対応する。
【０１５５】
その後、追加分の帯域要求メッセージを送信するため、帯域要求メッセージ送信部１１３は当該帯域要求メッセージをＲＦ１０２に通知する（Ｓ６６）。また、帯域要求メッセージ送信部１１３は、追加帯域要求に対する帯域要求メッセージの帯域割当量を帯域未割当量算出部１０４に通知する（Ｓ６７）。更に、帯域要求メッセージ送信決定部１１２は平均遅延時間の測定のため、要求した帯域量と帯域要求フレームとを帯域要求・割当遅延時間測定部１０５に通知する（Ｓ６８）。更に、帯域要求メッセージ送信部１１３は、帯域要求メッセージの送信有りを帯域未割当期間測定部１０６に通知する（図１１のＳ７０）。
【０１５６】
一方、帯域要求メッセージ送信決定部１１２は、数２を満たさないとき（Ｓ３でＮｏ）、帯域要求メッセージ送信部１１３に対して帯域要求不要を通知する（Ｓ６４）。例えば、図６の例では、Ｓ１７やＳ２２のタイミングに相当し、この場合、端末１００は追加帯域要求を行わない。端末１００は、Ｓ２６のタイミングでまとめて追加帯域要求を行うことで、帯域の効率的な使用が行われるようにするためである。
【０１５７】
この場合、帯域要求メッセージ送信決定部１１２は帯域要求メッセージを送信しないため、帯域未割当量の更新（Ｓ６７）や帯域要求フレームの通知（Ｓ６８）などは行われず、処理はＳ７１に移行する。
【０１５８】
なお、帯域要求メッセージ送信部１１３は、帯域要求不要の通知を受けて、帯域要求メッセージの送信無しを帯域未割当期間測定部１０６に通知する。帯域未割当期間測定部１０６は、例えば、帯域要求メッセージの送信の無しの通知を受けることで、帯域要求メッセージの送信の有無を確認することができる。
【０１５９】
以上の処理（Ｓ５６，Ｓ６４，Ｓ７０）が終了すると、端末１００は総帯域要求と追加帯域要求を行うことになる。以降、端末１００は、帯域の割り当てを受けて、帯域未割当量の減算、平均遅延時間と最大帯域量の算出などの処理を行う。
【０１６０】
すなわち、データ受信部１０３は、基地局２００から送信された通信情報をＲＦ１０２から取得する（図１１のＳ７１）。
【０１６１】
次いで、データ受信部１０３は、基地局２００から端末１００に対して帯域割当てを受けたか否かを判別する（Ｓ７２）。例えば、データ受信部１０３は、ＲＦ１０２から受け取った通信情報からＵＬ−ＭＡＰ情報を取得し、ＵＬ−ＭＡＰ情報の中に、自局（端末１００）宛てのＵＬ−ＭＡＰ情報があるか否かにより判別できる。例えば、ＵＬ−ＭＡＰ情報には端末１００の識別情報も含まれ、データ受信部１０３はこの識別情報に基づいて帯域割り当てを受けたか否かを判別できる。  
【０１６２】
データ受信部１０３は基地局２００から端末１００に対して帯域割り当てがあると判別したとき（Ｓ７２でＹｅｓ）、帯域未割当期間測定部１０６は、帯域要求後の帯域未割当期間を初期化する（Ｓ７４）。例えば、データ受信部１０３は、帯域割当量を帯域未割当期間測定部１０６に通知し、帯域未割当期間測定部１０６はこの帯域割当量の通知を受けて、帯域要求後の帯域割当期間を初期化する。
【０１６３】
次いで、帯域未割当量算出部１０４は、データ受信部１０３から帯域割当量を取得し、帯域未割当量を減算する（Ｓ７５）。端末１００は基地局２００から帯域の割り当てを受けたため、帯域未割当量について割当てを受けた分減算するようにしている。例えば、図６の例では、端末１００は、Ｓ１１，Ｓ１３，Ｓ１６により帯域割当てを受けたため、帯域未割当量から３，０００バイトずつ減算している。
【０１６４】
図１１に戻り、次いで、帯域要求・割当遅延時間測定部１０５は、データ受信部１０３から帯域割当量と帯域割当フレームを取得し、平均遅延時間を算出する（Ｓ７６）。例えば、帯域要求・割当遅延時間測定部１０５は、データ受信部１０３から受け取った帯域割当フレームから、Ｓ６８で受け取った帯域要求フレームを減算することで、帯域要求・割当遅延時間を測定し、過去に測定した遅延時間とに基づいて平均遅延時間を算出する。
【０１６５】
次いで、最大帯域割当量算出部１０７は、データ受信部１０３から、ＭＣＳとＵＬ帯域構成情報とを取得し、基地局２００が端末１００に割当て可能な最大帯域量を算出する（Ｓ７７）。例えば、最大帯域割当量算出部１０７は、ＭＣＳとＵＬ帯域構成情報とに基づき、数１を計算することで最大帯域量を算出する。
【０１６６】
そして、処理は再びＳ５１に移行して上述した処理を繰り返す。
【０１６７】
一方、データ受信部１０３は、基地局２００から端末１００に対して帯域割り当てがないと判別したとき（Ｓ７２でＮｏ）、帯域未割当期間測定部１０６は帯域要求後の帯域未割当期間をカウントする（Ｓ７３）。例えば、図１２（Ｂ）の例では、「ｎ」番目の無線フレームから「ｎ＋３」番目の無線フレームの間においては、帯域未割当期間をカウントすることになる。
【０１６８】
そして、処理は再びＳ５１に移行して上述した処理を繰り返す。
【０１６９】
このように、本第２の実施の形態において、端末１００が帯域要求を行った後、基地局２００から割当てを受けるまでに要する期間において、送信可能な（最大）データ量を算出する（例えば、最大帯域割当量×平均遅延時間）。そして、端末１００は、帯域の割り当てを受けていない未割当量が送信可能な（最大）データ量に相当する帯域量以下となるとき（例えば、帯域未割当量≦（最大帯域割当量×平均遅延時間）を満たすとき）、追加データに対する帯域要求を行う（例えば、図６のＳ２６、図９のＳ６５〜Ｓ６６）。例えば図８（Ｂ）の例では、送信可能なデータ量１２，０００バイト以下となる「ｎ−４」番目の無線フレームで追加分のデータに対する帯域要求を行う。
【０１７０】
これにより、例えば、端末１００は総帯域分として要求した帯域のすべての割り当てが終了した無線フレームの後の無線フレームにおいて、追加分のデータに対する帯域の割り当てを受けることができる。
【０１７１】
従って、端末１００は、基地局２００から帯域を割り当てられない期間が発生しなくなり、データを送信するための帯域の割り当てを継続して受けることができる。これにより、帯域を割り当てられない期間が存在する場合と比較して、帯域が無駄にならず、端末１００は効率的に帯域を利用することができるようになる。
【０１７２】
また、追加帯域要求を行う頻度は、更に追加分のデータが存在するときでも、例えば「ｎ−４」番目の無線フレームにおける１回だけであり、追加帯域要求に関する帯域要求メッセージの送信の頻度を最小限に抑えることができる。
【０１７３】
これにより、例えば、端末１００は、当該帯域要求メッセージの送信自体による帯域の使用を最小限に抑えることができ、当該無線フレームにおける送信可能なデータ量の減少も最小限に抑えることができる。
【０１７４】
従って、端末１００は追加帯域要求に関する帯域要求メッセージを複数回送信する場合と比較して、帯域を効率的に使用することができる。
【０１７５】
［その他の実施の形態］
次にその他の実施の形態について説明する。図１３（Ａ）は端末１００、図１３（Ｂ）は基地局の他の構成例をそれぞれ表わす図である。
【０１７６】
端末１００は、更に、ＤＳＰ（Digital Signal Processor）１３０、ＣＰＵ（Central Processing Unit）１３１、ＲＡＭ（Random Access Memory）１３２を備える。
【０１７７】
ＤＳＰ１３０は、例えば、第２の実施の形態におけるデータ受信部１０３と帯域要求メッセージ送信部１１３に対応する。また、ＣＰＵ１３１は、例えば、第２の実施の形態における帯域未割当量算出部１０４、帯域要求・割当遅延時間測定部１０５、帯域未割当期間測定部１０６、最大帯域割当量算出部１０７、上位層１０８、送信データ受信部１１０、及び帯域要求メッセージ送信決定部１１２に対応する。更に、ＲＣＭ１２２は、例えば、第２の実施の形態における送信データ情報格納部１１１に対応する。
【０１７８】
例えば、ＤＳＰ１３０は、ＣＰＵ１３１から制御信号に従って、データ受信部１０３における処理又は機能を実現することができる。また、ＣＰＵ１３１は、例えば、図示しないＲＯＭ（Read Only Memory）などに記憶されたプログラムを適宜読み出して、ＲＡＭ１３２にロードし、ロードしたプログラムを実行することで、帯域未割当量算出部１０４から帯域要求メッセージ送信決定部１１２までで行われる処理又は機能を実現することができる。例えば、ＣＰＵ１３１はＲＡＭ１３２に送信データなどを記憶させたり、適宜読出したりすることができ、更に、ＤＳＰ１３０とＣＰＵ１３１はＲＡＭ１３２にアクセスしてその他のデータなどを適宜記憶したり、読み出したりすることもできる。
【０１７９】
基地局２００は、更に、ＤＳＰ２３０、ＣＰＵ２３１、ＲＡＭ２３２を備える。ＤＳＰ２３０は、例えば、第２の実施の形態における帯域要求メッセージ受信部２０３とデータ送信部２０５に対応する。また、ＣＰＵ２３１は、例えば、第２の実施の形態における帯域割当部２０４に対応する。
【０１８０】
ＣＰＵ２３１は、例えば、ＤＳＰ２３０に制御信号を出力することで、ＤＳＰ２３０は帯域要求メッセージ受信部２０３とデータ送信部２０５の各処理又は各機能を実現できる。その際、ＤＳＰ２３０やＣＰＵ２３１は、ＲＡＭ２３２にアクセスしてデータなどを適宜記憶することもできる。
【０１８１】
以上まとめると付記のようになる。
【０１８２】
（付記１）
他の無線通信装置にデータを送信するための総帯域を要求し、当該要求した総帯域に対して前記他の無線通信装置において割り当てられた帯域を利用して前記データを送信する無線通信装置であって、
前記要求した総帯域に対して前記他の無線通信装置から割り当てられていない帯域の帯域量が、前記総帯域の要求後前記他の無線通信装置から前記帯域の割り当てを受けるまでの第１の期間において送信可能な最大データ量に相当する帯域量以下となるとき、前記要求した総帯域に対して追加の帯域を要求する帯域要求部
を備えることを特徴とする無線通信装置。
【０１８３】
（付記２）
更に、前記総帯域を要求したときの帯域要求量と、前記要求した総帯域に対して前記他の無線通信装置から割り当てを受けた割当帯域量とに基づいて、前記他の無線通信装置から割り当てられていない帯域の帯域量を算出し、当該算出した帯域量を前記要求帯域部に出力する帯域未割当量算出部を備えることを特徴とする付記１記載の無線通信装置。
【０１８４】
（付記３）
更に、前記総帯域を要求後、前記他の無線通信装置から前記帯域の割り当てを受けるまでの差分時間を測定し、当該測定した差分時間を複数回測定した平均時間を前記第１の期間として前記帯域要求部に出力する帯域要求・割当遅延時間測定部を備えることを特徴とする付記１記載の無線通信装置。
【０１８５】
（付記４）
更に、前記無線通信装置と前記他の無線通信装置との間の無線区間における無線品質と前記他の無線通信装置において割り当てられた無線帯域の構成情報とに基づいて、１単位時間あたりに割り当て可能な最大帯域割当量を算出し、当該算出した最大帯域割当量を前記要求帯域部に出力する最大帯域割当量算出部を備え、
前記帯域要求部は、前記最大帯域割当量と前記第１の期間とに基づいて、前記送信可能な最大データ量に相当する帯域量を算出することを特徴とする付記１記載の無線通信装置。
【０１８６】
（付記５）
前記帯域要求部は、前記総帯域の要求後前記帯域の割り当てを受けていない連続した第２の期間が、前記第１の期間を超えるとき、再度、前記他の無線通信装置に対して帯域を要求することを特徴とする付記１記載の無線通信装置。
【０１８７】
（付記６）
更に、前記総帯域の要求後、前記総帯域の要求に対して帯域の割り当てを受けたとき、カウント値を初期化し、前記総帯域の要求後、前記総帯域の要求に対して帯域の割り当てを受けなかったとき、当該帯域の割り当てを受けない連続した期間をカウントし、当該カウントしたカウント値を前記第２の期間として前記帯域要求部に出力する帯域未割当期間測定部を備える付記５記載の無線通信装置。
【０１８８】
（付記７）
前記帯域要求部は、前記要求した総帯域に対して前記他の無線通信装置から割り当てられていない帯域の帯域量が、前記第１の期間において送信可能な最大データ量に相当する帯域量よりも多いとき、前記追加の帯域の要求は行わないことを特徴とする付記１記載の無線通信装置。
【０１８９】
（付記８）
前記帯域要求部は、前記要求した総帯域に対して前記他の無線通信装置から割り当てられていない帯域の帯域量が、前記第１の期間において送信可能な最大データ量に相当する帯域量以下となるときにおいて、追加の帯域の要求が複数あるとき、当該各要求における帯域要求量を加算した単一の追加帯域の要求を行うことを特徴とする付記１記載の無線通信装置。
【０１９０】
（付記９）
前記無線通信装置は無線端末装置であり、前記他の無線通信装置は無線基地局装置であることを特徴とする付記１記載の無線通信装置。
【０１９１】
（付記１０）
他の無線通信装置にデータを送信するための総帯域を要求し、当該要求した総帯域に対して前記他の無線通信装置において割り当てられた帯域を利用して前記データを送信する無線通信装置における帯域要求方法であって、
前記要求した総帯域に対して前記他の無線通信装置から割り当てられていない帯域の帯域量が、前記総帯域の要求後前記他の無線通信装置から前記帯域の割り当てを受けるまでの第１の期間において送信可能な最大データ量に相当する帯域量以下となるとき、帯域要求部によって、前記要求した帯域に対して追加の帯域を要求する
ことを特徴とする帯域要求方法。
【０１９２】
（付記１１）
データを送信するための総帯域を要求する帯域要求を受け、前記帯域要求に基づいて、帯域の割り当てを行う第１無線通信装置と、
前記第１無線通信装置に前記帯域要求を送信し、前記帯域要求に対して前記第１無線通信装置において割り当てられた帯域を利用して前記データを送信する第２無線通信装置を含む無線通信システムであって、
前記第２無線通信装置は、前記帯域要求に対して前記第１無線通信装置から割り当てられていない帯域の帯域量が、前記帯域要求後前記第１無線通信装置から前記帯域の割り当てを受けるまでの第１の期間において送信可能な最大データ量に相当する帯域量以下となるとき、前記第１無線通信装置に、前記総帯域に対して追加の帯域を要求する
ことを特徴とする無線通信システム。
【０１９３】
（付記１２）
第１無線通信装置と第２無線通信装置を含む無線通信システムの制御方法であって、
データを送信するための総帯域を要求する帯域要求を、前記第２無線通信装置によって、前記第１無線通信装置に送信し、
前記送信された帯域要求に基づいて、前記第１無線通信装置によって、帯域を割り当て、
前記割り当てられた帯域を利用して前記データを、前記第２無線通信装置によって、前記第１無線通信装置に送信し、
前記帯域要求に対して前記第１無線通信装置によって割り当てられていない帯域の帯域量が、前記帯域要求後前記第１無線通信装置によって前記帯域の割り当てを受けるまでの第１の期間において送信可能な最大データ量に相当する帯域量以下になるとき、前記第１無線通信装置に、前記第２無線通信装置によって、前記総帯域に対して追加の帯域の要求を送信する
ことを特徴とする制御方法。
【符号の説明】
【０１９４】
１０：無線通信システム                
１００（１００−１〜１００−３）：無線端末装置（端末）
１０３：データ受信部                  １０４：帯域未割当量算出部
１０５：帯域要求・割当遅延時間測定部  １０６：帯域未割当期間測定部
１０７：最大帯域割当量算出部          １０８：上位層
１１０：送信データ受信部              １１１：送信データ情報格納部
１１２：帯域要求メッセージ送信決定部  １１３：帯域要求メッセージ送信部
１２０：ＴＣＰ                        １２１：ＭＡＣ／ＰＨＹ
１３０：ＤＳＰ                        １３１：ＣＰＵ
２００：無線基地局装置（基地局）
【図１】
2014075703.tif 000005
【図２】
2014075703.tif 000006
【図３】
2014075703.tif 000007
【図４】
2014075703.tif 000008
【図５】
2014075703.tif 000009
【図６】
2014075703.tif 000010
【図７】
2014075703.tif 000011
【図８】
2014075703.tif 000012
【図９】
2014075703.tif 000013
【図１０】
2014075703.tif 000014
【図１１】
2014075703.tif 000015
【図１２】
2014075703.tif 000016
【図１３】
2014075703.tif 000017
【図１４】
2014075703.tif 000018